(57)【要約】【課題】コインの満杯を事前に正確に検知できるコイン徴収装置を提供すること。【解決手段】このコイン徴収装置は、コインの投入枚数をコイン種毎に計数する投入枚数計数手段（２１，２２）と、コインの払い出し枚数をコイン種毎に計数する払い出し枚数計数手段（３３）と、コイン収容部を満杯とするコイン枚数をコイン種毎に記憶する記憶手段（３１）と、コインの投入枚数と、コインの払い出し枚数と、釣り銭として確保される所定のコイン枚数からコイン収容部に収容されたコイン枚数をコイン種毎に算出する算出手段（３３）と、算出手段で算出されたコイン収容部に収容されたいずれかのコイン種のコイン枚数が、記憶手段に記録されるコイン収容部を満杯とするコイン種のコイン枚数以上になったとき満杯であることを検知する検知手段（２８）と、検知手段に従って満杯を報知する報知手段とを備える。【選択図】　図２
2004110426.tif 000002
【特許請求の範囲】
【請求項１】
投入されたコインを釣り銭として払い出すとともに、所定の枚数の前記コインをコイン種毎に釣り銭として確保し、残りのコインをコイン収容部に収容するコイン徴収装置において、
前記コインの投入枚数をコイン種毎に計数する投入枚数計数手段と、
前記コインの払い出し枚数をコイン種毎に計数する払い出し枚数計数手段と、
前記コイン収容部を満杯とするコイン枚数をコイン種毎に記憶する記憶手段と、
前記コインの投入枚数と、前記コインの払い出し枚数と、前記釣り銭として確保される所定のコイン枚数から前記コイン収容部に収容されたコイン枚数をコイン種毎に算出する算出手段と、
前記算出手段で算出されたコイン収容部に収容されたいずれかのコイン種のコイン枚数が、前記記憶手段に記録される前記コイン収容部を満杯とする前記コイン種のコイン枚数以上になったとき満杯であることを検知する検知手段と、
前記検知手段に従って満杯を報知する報知手段と
を備えたことを特徴とするコイン徴収装置。
【請求項２】
投入されたコインを釣り銭として払い出すとともに、所定の枚数の前記コインをコイン種毎に釣り銭として確保し、残りのコインをコイン収容部に収容するコイン徴収装置において、
前記コインの投入枚数をコイン種毎に計数する投入枚数計数手段と、
前記コインの払い出し枚数をコイン種毎に計数する払い出し枚数計数手段と、
前記コイン収容部を満杯とする所定の枚数を記憶する記憶手段と、
前記コインの投入枚数と、前記コインの払い出し枚数と、前記釣り銭として確保される所定のコイン枚数から前記コイン収容部に収容されたコイン枚数をコイン種毎に算出する算出手段と、
前記算出手段がコイン種毎のコイン枚数に所定の係数をそれぞれ掛けてこれらを合算した合算枚数に換算する換算手段と、
前記合算枚数に換算した値が、前記記憶手段が記憶する前記所定の枚数以上になったとき満杯であることを報知する報知手段と
を備えたことを特徴とするコイン徴収装置。
【請求項３】
投入されたコインをコイン収容部に収容するコイン徴収装置において、
前記コイン収容部の重量を測定する重量計測手段と、
前記コイン収容部を満杯とする所定の重量を記憶する記憶手段と、
前記重量計測手段で測定された前記コイン収容部の重量が前記記憶手段に記憶される前記コイン収容部を満杯とする所定の重量以上になったとき、前記コイン収容部が満杯であることを検知する検知手段と
を備えたことを特徴とするコイン徴収装置。
【請求項４】
画像形成装置の複写代金として徴収したコインをコイン収容部に収容するコイン徴収装置において、
複写枚数を計数する複写枚数計数手段と、
前記コイン収容部が満杯となったときに期待される総複写枚数の期待値を記憶する記憶手段と、
前記複写枚数計数手段で計数された複写枚数が、前記総複写枚数の期待値以上になったとき満杯であることを検知する検知手段と、
前記検知手段に従って満杯を報知する報知手段と
を備えたことを特徴とするコイン徴収装置。
【請求項５】
画像形成装置の複写代金として徴収したコインをコイン収容部に収容するコイン徴収装置において、
複写枚数を複写種毎に計数する複写枚数計数手段と、
前記コイン収容部が満杯となったときに期待される前記複写種毎の複写枚数の期待値を記憶する記憶手段と、
前記複写枚数計数手段で計数されたいずれかの複写種の複写枚数が、前記記憶手段に記憶された前記複写種毎の複写枚数の期待値以上になったとき満杯であることを検知する検知手段と、
前記検知手段に従って満杯を報知する報知手段と
を備えたことを特徴とするコイン徴収装置。
【請求項６】
画像形成装置の複写代金として徴収したコインをコイン収容部に収容するコイン徴収装置において、
複写枚数を複写種毎に計数する複写枚数計数手段と、
前記複写種毎の複写枚数に前記複写種毎の複写単価を乗算して全て加算した総複写料金を算出する算出手段と、
前記コイン収容部が満杯となったときに期待される複写種毎の複写枚数の期待値に前記複写種毎の複写単価を乗算した複写種毎の複写料金の期待値を全て加算した総複写料金の期待値を記憶する記憶手段と、
前記算出手段で算出された総複写料金が、前記記憶手段に記憶された前記コイン収容部が満杯となったときに期待される総複写料金の期待値以上になったとき満杯であることを検知する検知手段と、
前記検知手段に従って満杯を報知する報知手段と
を備えたことを特徴とするコイン徴収装置。
【請求項７】
画像形成装置の複写代金として徴収したコインをコイン収容部に収容するコイン徴収装置において、
複写枚数を複写種毎に計数する複写枚数計数手段と、
前記複写枚数に複写単価を乗算した複写料金を複写種毎に算出する算出手段と、
前記コイン収容部が満杯となったときに期待される複写種毎の複写枚数の期待値に前記複写種毎の複写単価を乗算した複写種毎の複写料金の期待値を記憶する記憶手段と、
前記算出手段で算出されたいずれかの複写種の複写料金が、前記記憶手段に記憶された前記コイン収容部が満杯となったときに期待される前記複写種の複写料金の期待値以上になったとき満杯であることを検知する検知手段と、
前記検知手段に従って満杯を報知する報知手段と
を備えたことを特徴とするコイン徴収装置。
【請求項８】
投入されたコインをコイン収容部の入り口から入れて前記コイン収容部に収容するドアが設けられたコイン徴収装置において、
前記ドアの開閉を検知するドアロックセンサと、
前記コイン収容部入り口付近に設けられ、前記コイン収容部入り口付近のコインの溢れを光線によって検知する満杯センサと、
前記ドアロックセンサが前記ドアの閉を検知して前記満杯センサがコインの溢れを同時に一定時間検知したとき、前記コイン収容部が満杯であることを検知する検知手段と
を備えたことを特徴とするコイン徴収装置。
【請求項９】
投入されたコインをコイン収容部に収容するコイン徴収装置において、
前記投入されたコインの徴収を行うコイン徴収手段と、
前記コイン収容部が満杯となったことを第１の所定値によって検知する第１の検知手段と、
前記コイン収容部が満杯となり使用不可となったことを第２の所定値によって検知する第２の検知手段と、
前記第１の検知手段が前記第１の所定値を検知したとき、前記コイン徴収手段による前記コイン徴収を停止する停止手段と、
前記停止手段によって停止となった前記コインの徴収を再開して、前記第２の検知手段が前記第２の所定値を検知するまでコインの徴収を行わせる徴収再開手段と
を備えたことを特徴とするコイン徴収装置。
【請求項１０】
使用装置の使用料金をコイン残高から減額しながら前記使用装置を使用することができるコイン徴収装置において、
前記コインの投入金額を計数して前記コイン残高に加算し、前記使用装置を使用する度に前記コイン残高を減算するコイン残高算出手段と、
前記コイン残高が０になったときに満杯の検知を行う検知手段と
を備えたことを特徴とするコイン徴収装置。
【請求項１１】
使用装置の使用料金をコイン残高から減額しながら前記使用装置を使用することができるコイン徴収装置において、
前記コインの投入金額を計数して前記コイン残高に加算し、前記使用装置を使用する度に前記コイン残高を減算するコイン残高算出手段と、
前記コインの投入中に満杯を検知したときに満杯を報知する報知手段と
を備えたことを特徴とするコイン徴収装置。
【請求項１２】
通信回線で情報機器に接続されたコイン徴収装置において、
満杯を検知する検知手段と、
前記検知手段で満杯を検知したとき前記通信回線を介して前記情報機器に満杯を報知する報知手段と
を備えたことを特徴とするコイン徴収装置。
【発明の詳細な説明】
【０００１】
【発明の属する技術分野】
本発明は、徴収したコインを釣り銭として払い出すコイン徴収装置に関し、特にコインの満杯を事前に正確に検知する技術に関する。
【０００２】
【従来の技術】
従来のコイン収納装置は、コインメカ機構とコイン収納部との間に、コインを収納部に案内するコインシュートを配設すると共に、コイン収納部がコインにより満杯になった際にコインシュート内のコインの存在を検知するセンサーをコインの通過通路に設置し、センサーの作動によりコインの満杯状態を表示している。（例えば、特許文献１参照。）
また、コインスイッチの検知に基づいてコイン収納部が収容したコインの総枚数をカウントするカウンタと、カウンタによるカウント値を所定値と比較する比較手段と、比較手段によりカウント値が所定値に到達したとの比較結果が得られたとき、コイン収納部がコインで満杯であることを報知する報知手段とを備え、コイン収納部を装置から取り出した時に、総枚数のカウンタをクリアする手段を備え、コインが詰まってユーザに迷惑がかからないようにしているコイン式洗濯機もある。（例えば、特許文献２参照。）
また、金庫がコインで満杯となると、コインを受け入れるコイン受け入れ口近傍にコインが滞留し、これをコイン受け入れ口近傍に配設されたフォトセンサの時間変化信号で検知することで、金庫がコインで満杯になったことを検知し、コイン投入阻止手段によって更なるコインの投入が禁止されるコイン収納金庫もある。（例えば、特許文献３参照。）。
【０００３】
【特許文献１】
特開平５−８１５５３号公報（第３頁、第１図）
【特許文献２】
特開平６−３１４３６４号公報（第３頁、第４図）
【特許文献３】
特開２００１−３５１１４５号公報（第３頁、第２図）
【０００４】
【発明が解決しょうとする課題】
しかしながら、従来例では、いずれもコインの投入中または作業中に突然、満杯状態が表示され、以後の機械使用できなくなってしまう。また、特許文献１では、コイン収納部内で、コインが盛り上がった場合等、コインが満杯でないのに、満杯と誤検知してしまう。
【０００５】
特許文献２では、コイン収納部を装置から取り出した際に、総枚数のカウンタがクリアされてしまう。このため、コインが入ったまま、コイン収納部を装置から、取り出し、戻した場合に、正確なカウントができなくなってしまう。すなわち、実際は満杯状態なのに、満杯を検知できない場合が発生する。金種毎に、コインのサイズが違うため、コインが満杯になる枚数も異なってくる。
【０００６】
特許文献３では、フォトセンサを設置し、常時フォトセンサの時間変化信号を観測しなければならないので、フォトセンサの時間変化信号を観測し分析する複雑な機構が必要となるためコイン収納金庫の価格が高価になる。
【０００７】
本発明は、このような問題に鑑みてなされたもので、その目的とするところは、コインの満杯を事前に正確に検知できるコイン徴収装置を提供することにある。
【０００８】
【課題を解決するための手段】
前述した目的を達成するために第１の発明は、投入されたコインを釣り銭として払い出すとともに、所定の枚数の前記コインをコイン種毎に釣り銭として確保し、残りのコインをコイン収容部に収容するコイン徴収装置において、前記コインの投入枚数をコイン種毎に計数する投入枚数計数手段と、前記コインの払い出し枚数をコイン種毎に計数する払い出し枚数計数手段と、前記コイン収容部を満杯とするコイン枚数をコイン種毎に記憶する記憶手段と、前記コインの投入枚数と、前記コインの払い出し枚数と、前記釣り銭として確保される所定のコイン枚数から前記コイン収容部に収容されたコイン枚数をコイン種毎に算出する算出手段と、前記算出手段で算出されたコイン収容部に収容されたいずれかのコイン種のコイン枚数が、前記記憶手段に記録される前記コイン収容部を満杯とする前記コイン種のコイン枚数以上になったとき満杯であることを検知する検知手段と、前記検知手段に従って満杯を報知する報知手段とを備えたことを特徴とするコイン徴収装置を提供する。
【０００９】
第１の発明によれば、コイン種毎に満杯とする枚数を決めているので、コインサイズを考慮して正確に満杯を検知できる。特に、５００円硬貨と１０円硬貨といったような大きさに差のある硬貨を主に徴収するような業務を行う装置に取り付けられるコイン徴収装置のように、取り付けられる装置の業務内容によって徴収されるコイン種に偏りがある場合、コインの総枚数のカウントによる満杯検知と比較すると誤差を非常に少なくできる。
【００１０】
前述した目的を達成するために第２の発明は、投入されたコインを釣り銭として払い出すとともに、所定の枚数の前記コインをコイン種毎に釣り銭として確保し、残りのコインをコイン収容部に収容するコイン徴収装置において、前記コインの投入枚数をコイン種毎に計数する投入枚数計数手段と、前記コインの払い出し枚数をコイン種毎に計数する払い出し枚数計数手段と、前記コイン収容部を満杯とする所定の枚数を記憶する記憶手段と、前記コインの投入枚数と、前記コインの払い出し枚数と、前記釣り銭として確保される所定のコイン枚数から前記コイン収容部に収容されたコイン枚数をコイン種毎に算出する算出手段と、前記算出手段がコイン種毎のコイン枚数に所定の係数をそれぞれ掛けてこれらを合算した合算枚数に換算する換算手段と、前記合算枚数に換算した値が、前記記憶手段が記憶する前記所定の枚数以上になったとき満杯であることを報知する報知手段とを備えたことを特徴とするコイン徴収装置を提供する。
【００１１】
第２の発明によれば、コイン収容部の体積とコインの体積とコインの間に生じる隙間を計算した理論的な満杯検知を行うことができる。
【００１２】
前述した目的を達成するために第３の発明は、投入されたコインをコイン収容部に収容するコイン徴収装置において、前記コイン収容部の重量を測定する重量計測手段と、前記コイン収容部を満杯とする所定の重量を記憶する記憶手段と、前記重量計測手段で測定された前記コイン収容部の重量が前記記憶手段に記憶される前記コイン収容部を満杯とする所定の重量以上になったとき、前記コイン収容部が満杯であることを検知する検知手段とを備えたことを特徴とするコイン徴収装置を提供する。
【００１３】
第３の発明によれば、コイン収容部の重量を測定したので、コインの枚数、およびコピー枚数等の複雑なカウント機構およびその計算機構を設けることなく、簡単に満杯を検知することができる。
【００１４】
前述した目的を達成するために第４の発明は、画像形成装置の複写代金として徴収したコインをコイン収容部に収容するコイン徴収装置において、
複写枚数を計数する複写枚数計数手段と、前記コイン収容部が満杯となったときに期待される総複写枚数の期待値を記憶する記憶手段と、前記複写枚数計数手段で計数された複写枚数が、前記総複写枚数の期待値以上になったとき満杯であることを検知する検知手段と、前記検知手段に従って満杯を報知する報知手段とを備えたことを特徴とするコイン徴収装置を提供する。
【００１５】
第４の発明によれば、総複写枚数と画像形成装置の管理者が把握しやすい値を用いて満杯を検知するので、画像形成装置の管理者が管理しやすい。
【００１６】
前述した目的を達成するために第５の発明は、画像形成装置の複写代金として徴収したコインをコイン収容部に収容するコイン徴収装置において、複写枚数を複写種毎に計数する複写枚数計数手段と、前記コイン収容部が満杯となったときに期待される前記複写種毎の複写枚数の期待値を記憶する記憶手段と、前記複写枚数計数手段で計数されたいずれかの複写種の複写枚数が、前記記憶手段に記憶された前記複写種毎の複写枚数の期待値以上になったとき満杯であることを検知する検知手段と、前記検知手段に従って満杯を報知する報知手段とを備えたことを特徴とするコイン徴収装置を提供する。
【００１７】
第５の発明によれば、コイン徴収装置を取り付けた画像形成装置の管理者が把握しやすい複写種毎の複写枚数の期待値を用いて満杯を検知するので、画像形成装置の管理者が満杯の管理をしやすいし、かつ、コイン徴収装置を取り付けた画像形成装置の業務内容および、画像形成装置の設置される場所等によって徴収されるコピー種に特徴がある場合、コイン徴収装置を取り付けた装置のコピー種に関する業務実績に基づいて満杯を検知できる。
【００１８】
前述した目的を達成するために第６の発明は、画像形成装置の複写代金として徴収したコインをコイン収容部に収容するコイン徴収装置において、複写枚数を複写種毎に計数する複写枚数計数手段と、前記複写種毎の複写枚数に前記複写種毎の複写単価を乗算して全て加算した総複写料金を算出する算出手段と、前記コイン収容部が満杯となったときに期待される複写種毎の複写枚数の期待値に前記複写種毎の複写単価を乗算した複写種毎の複写料金の期待値を全て加算した総複写料金の期待値を記憶する記憶手段と、前記算出手段で算出された総複写料金が、前記記憶手段に記憶された前記コイン収容部が満杯となったときに期待される総複写料金の期待値以上になったとき満杯であることを検知する検知手段と、前記検知手段に従って満杯を報知する報知手段とを備えたことを特徴とするコイン徴収装置を提供する。
【００１９】
第６の発明によれば、総複写料金とコイン徴収装置と画像形成装置の管理者が把握しやすい値を用いて満杯を検知するので、画像形成装置の管理者が管理しやすし、総複写枚数を用いるより正確に満杯検知を行える。また、満杯を検知するために、いちいち投入金額、返却変金額等を数える必要がないし、コピーの売上金額の積算をしなくてもよい。
【００２０】
前述した目的を達成するために第７の発明は、画像形成装置の複写代金として徴収したコインをコイン収容部に収容するコイン徴収装置において、複写枚数を複写種毎に計数する複写枚数計数手段と、前記複写枚数に複写単価を乗算した複写料金を複写種毎に算出する算出手段と、前記コイン収容部が満杯となったときに期待される複写種毎の複写枚数の期待値に前記複写種毎の複写単価を乗算した複写種毎の複写料金の期待値を記憶する記憶手段と、前記算出手段で算出されたいずれかの複写種の複写料金が、前記記憶手段に記憶された前記コイン収容部が満杯となったときに期待される前記複写種の複写料金の期待値以上になったとき満杯であることを検知する検知手段と、前記検知手段に従って満杯を報知する報知手段とを備えたことを特徴とするコイン徴収装置を提供する。
【００２１】
第７の発明によれば、コイン徴収装置を取り付けた画像形成装置の管理者が把握しやすい複写種毎の複写料金の期待値を用いて満杯を検知するので、画像形成装置の管理者が管理しやすいし、かつコイン徴収装置を取り付けた画像形成装置の業務内容および、画像形成装置の設置される場所等によってコピー種に特徴がある場合、コイン徴収装置を取り付けた装置のコピー種に関する業務実績に基づいて満杯を検知できる。
【００２２】
前述した目的を達成するために第８の発明は、投入されたコインをコイン収容部の入り口から入れて前記コイン収容部に収容するドアが設けられたコイン徴収装置において、前記ドアの開閉を検知するドアロックセンサと、前記コイン収容部入り口付近に設けられ、前記コイン収容部入り口付近のコインの溢れを光線によって検知する満杯センサと、前記ドアロックセンサが前記ドアの閉を検知して前記満杯センサがコインの溢れを同時に一定時間検知したとき、前記コイン収容部が満杯であることを検知する検知手段とを備えたことを特徴とするコイン徴収装置を提供する。
【００２３】
第８の発明によれば、ドアロックセンサと満杯センサによって満杯を検知しているので、コインの枚数、およびコピー枚数等のカウントおよびその計算プログラム等を設けることなく、簡単に満杯を検知することができるし、コイン収容部の回収作業時またはその直後、誤って満杯を検知することがない。
【００２４】
前述した目的を達成するために第９の発明は、投入されたコインをコイン収容部に収容するコイン徴収装置において、前記投入されたコインの徴収を行うコイン徴収手段と、前記コイン収容部が満杯となったことを第１の所定値によって検知する第１の検知手段と、前記コイン収容部が満杯となり使用不可となったことを第２の所定値によって検知する第２の検知手段と、前記第１の検知手段が前記第１の所定値を検知したとき、前記コイン徴収手段による前記コイン徴収を停止する停止手段と、前記停止手段によって停止となった前記コインの徴収を再開して前記第２の検知手段が前記第２の所定値を検知するまでコインの徴収を行わせる徴収再開手段とを備えたことを特徴とするコイン徴収装置を提供する。
【００２５】
第９の発明によれば、コイン徴収再開手段を設けたのでコイン徴収装置がいきなり満杯になって使用不能になることがない。２つの満杯検出手段と２つの満杯検知のための所定値を設けたので、顧客ならびにシステム管理者に満杯を認知させながら第２の所定値までコイン徴収装置を使用させることができる。
【００２６】
前述した目的を達成するために第１０の発明は、使用装置の使用料金をコイン残高から減額しながら前記使用装置を使用することができるコイン徴収装置において、前記コインの投入金額を計数して前記コイン残高に加算し、前記使用装置を使用する度に前記コイン残高を減算するコイン残高算出手段と、前記コイン残高が０になったときに満杯の検知を行う検知手段とを備えたことを特徴とするコイン徴収装置を提供する。
【００２７】
第１０の発明によれば、コイン残高が０になるのを待って満杯を検知しているので、コイン徴収装置を取り付けた画像形成装置等の機器が突然使用不能になることがない。
【００２８】
前述した目的を達成するために第１１の発明は、使用装置の使用料金をコイン残高から減額しながら前記使用装置を使用することができるコイン徴収装置において、前記コインの投入金額を計数して前記コイン残高に加算し、前記使用装置を使用する度に前記コイン残高を減算するコイン残高算出手段と、前記コインの投入中に満杯を検知したときに満杯を報知する報知手段とを備えたことを特徴とするコイン徴収装置を提供する。
【００２９】
前述した目的を達成するために第１２の発明は、通信回線で情報機器に接続されたコイン徴収装置において、満杯を検知する検知手段と、前記検知手段で満杯を検知したとき前記通信回線を介して前記情報機器に満杯を報知する報知手段とを備えたことを特徴とするコイン徴収装置を提供する。
【００３０】
第１２の発明によれば、コイン徴収装置が満杯状態であることをコイン徴収装置のシステム管理者に直ぐ知らせることができるので、コイン徴収装置が満杯のまま長時間放って置かれて使えないということがない。
【００３１】
【発明の実施の形態】
以下、本発明の実施の形態を図面に基づいて詳細に説明する。図１は、本発明のコイン徴収装置１を店舗内に設置された画像形成装置２に取り付けたコイン徴収システム１０の構成図である。コイン徴収システム１０は、コイン徴収装置１、画像形成装置２、店舗内ＬＡＮ３、ＰＯＳレジ４、公衆回線網５または専用回線網６、およびコンピュータ７で構成される。
【００３２】
コイン徴収装置１は、画像形成装置２に取り付けられ、店舗内ＬＡＮ３を介してＰＯＳレジ４に接続され、さらに公衆回線網５または専用回線網６を介して集中管理センタのコンピュータ７に接続される。顧客はコイン徴収装置１にコインを投入し、投入したコインの残高があれば、画像形成装置２によってコピー作業等を行うことができる。コイン徴収装置１は、コピー枚数、コピーサイズ、白黒、またはカラー等のコピーの種類等の使用条件によって異なる料金を徴収し、コイン徴収装置１で満杯等の異常が発生すれば、店舗内ＬＡＮ３を介してＰＯＳレジ４にいる店員や、公衆回線網５または専用回線網６を介して集中管理センタにいるシステム管理者に通報する。
【００３３】
図２は、コイン徴収装置１の機能ブロック図である。コイン徴収装置１は、選別センサ２１、コイン枚数カウンタ２２、返却ボタン２３、釣り銭払い出し機構２４、コインボックス２６、重量センサ２７、満杯センサ２８、ドアロック検知センサ２９、表示部３０、記憶部３１、データベース３２、およびそれらを制御する制御部３３等からなる。
【００３４】
選別センサ２１は投入されたコインのコイン種ｉを選別し、コイン枚数カウンタ２２は投入されたコインをコイン種ｉ毎にカウントする。コイン種ｉとはコインの種類のことで、具体的に現在日本国で流通する１０円硬貨、５０円硬貨、１００円硬貨、および５００円硬貨の種類のことである。釣り銭払い出し機構２４は返却ボタン２３が押されたとき釣り銭を払い出す。
【００３５】
コインボックス２６は投入されたコインを収容する。重量センサ２７はコインボックス２６の重量を測定し、満杯センサ２８はコインボックス２６の溢れを検知する。ドアロック検知センサ２９は、コインボックス２６を収容するコイン徴収装置１のドアが開いていないかを検知し、表示部３０は、コイン残高を表示する。記憶部３１には満杯を検出するプログラム等が記憶される。
【００３６】
データベース３２は、後述する釣り銭パイプ３５ｉの最大収容枚数Ｃｉｍａｘ、コインボックス２６を満杯とするコイン種ｉのコイン枚数Ｄｉｎｕｍ、コインボックス２６が満杯となったときに期待されるコイン種ｉのコイン枚数の期待値Ｄｉｅｘｐ、コインボックス２６が満杯となったときに期待される総コイン枚数の期待値ΣＤｉｅｘｐ、コインボックス２６を５００円硬貨だけで満杯にする５００円硬貨の枚数Ｄ５００ｍａｘ、コインボックス２６を満杯とするコピー種ｊのコピー枚数Ｐｉｎｕｍ、コインボックス２６が満杯となったときに期待されるコピー種ｊのコピー枚数の期待値Ｐｊｅｘｐ、コインボックス２６が満杯となったときに期待される総コピー枚数の期待値ΣＰｊｅｘｐ、コピー単価Ｍｊ、コインボックス２６を満杯とするコピー種ｊのコピー料金Ｎｉｎｕｍ、コインボックス２６が満杯となったときに期待されるコピー種ｊのコピー料金の期待値Ｎｉｅｘｐ、コインボックス２６が満杯となったときに期待される総コピー料金の期待値ΣＮｉｅｘｐ、コインボックス２６を満杯とする総コピー料金ΣＮｉｎｕｍ、１０円硬貨の体積Ｖ１０、５０円硬貨の体積Ｖ５０、５０円硬貨の体積Ｖ５０、１００円硬貨の体積Ｖ１００等の多くのデータのうち必要なデータが記憶される。
【００３７】
図３は、コイン徴収の原理を説明するためのコイン徴収装置１の横断面図である。コイン徴収装置１のドアには、ドアの開閉を知らせるドアロック検知センサ２９が取り付けられ、コイン徴収装置１の上面には、コインの返却ボタン２３、コイン残高を表示する表示部３０、およびコインを投入するコイン投入口３４が設けられる。
【００３８】
コイン投入口３４より投入されたコインは、選別センサ２１でコイン種ｉを選別され、コイン枚数カウンタ２２でコイン種ｉ毎のコインの投入枚数Ａｉをカウントされ、コインは釣り銭払い出し機構２４へと導かれる。釣り銭払い出し機構２４に導かれたコインは、コイン種ｉ毎に釣り銭パイプ３５ｉに収容される。釣り銭パイプ３５ｉ内のコインは、返却ボタン２３により、釣り銭として釣り銭払い出し口３６から払い出される。
【００３９】
釣り銭パイプ３５ｉの最大収容枚数Ｃｉｍａｘは、コイン種ｉ毎に決められているので、コイン種ｉの釣り銭パイプ３５ｉの最大収容枚数Ｃｉｍａｘを超えたコインは、自動的に釣り銭パイプ３５ｉから下方に設置されたコインボックス２６に落とされる。
【００４０】
コインボックス２６には、いろいろなコイン種ｉのコインが収容され、コインボックス２６の底には重量センサ２７、コインボックス２６の入り口付近には満杯センサ２８が取り付けられる。重量センサ２７は、コインボックス２６の重量を測定し、満杯センサ２８は発光ダイオード２８ａおよび受光ダイオード２８ｂの２組のダイオードでコインボックス２６の入り口にコインが溢れていないかを検知する。
【００４１】
図４は、本発明の第１の実施の形態に係るコイン徴収装置１のコイン徴収処理のフローチャートである。初めに初期設定を行う（ステップ１００）。コイン種ｉ毎のコインの投入枚数Ａｉ、および返却枚数Ｂｉを０に設定し、コイン種ｉ毎の釣り銭パイプ３５ｉの最大収容枚数Ｃｉｍａｘを設定する（ステップ１０１）。
【００４２】
コイン種ｉ毎に投入枚数５００円硬貨の体積を基準とした体積の割合を計算する。具体的には、１０円硬貨の体積の割合Ｖ１０／５００、５０円硬貨の体積の割合Ｖ５０／５００、および１００円硬貨の体積の割合Ｖ１００／５００を求める（ステップ１０２）。釣り銭パイプ３５ｉの最大収容枚数Ｃｉｍａｘ、１０円硬貨の体積Ｖ１０、５０円硬貨の体積Ｖ５０、１００円硬貨の体積Ｖ１００、５００円硬貨の体積Ｖ５００はデータベース３２に記憶される。
【００４３】
１０円硬貨の体積の割合Ｖ１０／５００、５０円硬貨の体積の割合Ｖ５０／５００、および１００円硬貨の体積の割合Ｖ１００／５００は、以下の（１）、（２）、および（３）式で求める。
１０円硬貨の体積の割合Ｖ５０／５００
＝１０円硬貨の体積Ｖ１０／５００円硬貨の体積Ｖ５００・・・（１）
５０円硬貨の体積の割合Ｖ５０／５００
＝５０円硬貨の体積Ｖ５０／５００円硬貨の体積Ｖ５００・・・（２）
１００円硬貨の体積の割合Ｖ１００／５００
＝１００円硬貨の体積Ｖ１００／５００円硬貨の体積Ｖ５００・・・（３）
予め、釣銭用のコインをコイン種ｉ毎に釣り銭パイプ３５ｉ内に所定の数ストックし、ストックしたコインの枚数をコインの投入枚数Ａｉに加算する（ステップ１０３）。コピーモードを「ｏｆｆ」（ステップ１０４）、リセットモードを「ｏｆｆ」（ステップ１０５）、コイン残高を「０」に設定し（ステップ１０６）、初期設定が完了する。
【００４４】
コイン徴収装置１は、顧客の入力を待つ（ステップ１１０）。顧客がコインを投入すると、コインの選別センサ２１がコイン種ｉを選別し（ステップ１１１）、コイン枚数カウンタ２２がコイン種ｉ毎に投入枚数Ａｉをカウントする（ステップ１１２）。
【００４５】
このコインの投入でコインボックス２６が満杯になるかを調べるために予めコインボックス２６内のコイン種ｉ毎のコイン枚数Ｄｉを計算する（ステップ１１３）。コインボックス２６内のコイン枚数Ｄｉは、以下の（４）式で計算される。
コインボックス２６内のコイン枚数Ｄｉ
＝投入枚数Ａｉ−返却枚数Ｂｉ−釣り銭パイプ３５ｉの最大収容枚数Ｃｉｍａｘ・・・（４）
次に、このコインの投入でコインボックス２６が使用不可になるかを調べるために予めコインボックス２６内の全コインを５００円硬貨に換算した枚数Σｄ５００／ｉを求める。
初めにコインボックス２６内の５００円硬貨以外のコイン枚数Ｄｉを５００円硬貨の枚数ｄ５００／ｉに式（１）、（２）、（３）の体積比を用いて換算する（ステップ１１４）。
【００４６】
換算式は、以下の（５）、（６）、および（７）式で求める。
１０円硬貨のコイン枚数Ｄ１０を５００円硬貨の枚数に換算した値ｄ５００／１０
＝１０円硬貨のコイン枚数Ｄ１０×１０円硬貨の体積の割合Ｖ１０／５００・・・（５）
５０円硬貨のコイン枚数Ｄ１０を５００円硬貨の枚数に換算した値ｄ５００／５０
＝５０円硬貨のコイン枚数Ｄ５０×５０円硬貨の体積の割合Ｖ５０／５００・・・（６）
１００円硬貨のコイン枚数Ｄ１０を５００円硬貨の枚数に換算した値ｄ５００／１００
＝１００円硬貨のコイン枚数Ｄ１００×１００円硬貨の体積の割合Ｖ１００／５００・・・（７）
コインボックス２６内の５００円硬貨以外のコイン枚数Ｄｉを５００円硬貨の枚数ｄ５００／ｉに換算した（５）式の値と（６）式の値と（７）式の値を加算し、さらにコインボックス２６内の５００円硬貨のコイン枚数Ｄ５００を加算して、コインボックス２６内の総コイン枚数ΣＤｉを５００円硬貨に換算した枚数Σｄ５００／ｉを求める（ステップ１１５）。
総コイン枚数ΣＤｉを５００円硬貨に換算した枚数Σｄ５００／ｉは、以下の（８）式で求める。
総コイン枚数ΣＤｉを５００円硬貨に換算した枚数Σｄ５００／ｉ
＝ｄ５００／１０＋ｄ５００／５０＋ｄ５００／１００＋Ｄ５００・・・（８）
ここで、リセットモードが「ｏｆｆ」であれば（ステップ１１６）、コインボックス２６がコインで満杯になったことを検知した後、コイン投入を受け付ける。ステップ１１６でリセットモードが「ｏｎ」の場合は、ステップ３０２で満杯解除処理を行っているので、リセットモードを「ｏｆｆ」にして（ステップ１２０）、ステップ１２１でコイン投入を受け付ける。
【００４７】
初めに、コインボックス２６内のコイン種ｉのコイン枚数Ｄｉとコインボックス２６が満杯となったときに期待される同じコイン種ｉのコイン枚数の期待値Ｄｉｅｘｐを全てのコイン種について比較する（ステップ１１７）。
コインボックス２６が満杯となったときに期待されるコイン枚数の期待値Ｄｉｅｘｐは、コインボックス２６の体積、形状等により異なるが、同型のコインボックス２６を用いたコイン徴収装置１で徴収されるコインの種類を分析して経験的に得られ値であり、データベース３２に記憶される。
【００４８】
なお、ステップ１１７の比較をコイン枚数の期待値Ｄｉｅｘｐの代わりにコインボックス２６を満杯とするコイン種ｉの他のコイン枚数Ｄｉｎｕｍを用いてもよい。
【００４９】
コインボックス２６内のいずれかのコイン種ｉのコイン枚数Ｄｉが満杯のときのコイン枚数の期待値Ｄｉｅｘｐ以上であれば（ステップ１１７）、コインボックス２６が投入されたコインで満杯になることを示すので、投入されたコインを返却し（ステップ１１８）、返却されたコインの枚数Ｂｉをコイン種ｉ毎に加算し（ステップ１１９）、このコイン徴収装置１を継続して使用可能か調べる。
【００５０】
ステップ１１５で求めたコインボックス２６内の総コイン枚数ΣＤｉを５００円硬貨に換算した枚数Σｄ５００／ｉがコインボックス２６を５００円硬貨だけで満杯にする５００円硬貨の枚数Ｄ５００ｍａｘ以上になれば（ステップ２００）、これ以上このコイン徴収装置１を使用することはできないので、コイン徴収装置１の使用中止を画像形成装置２に報知し（ステップ２０５）、コイン徴収装置１の使用中止を画像形成装置２に表示し（ステップ２０６）、コイン徴収装置１を停止させて（ステップ２０７）終了する。コインボックス２６を満杯にする５００円硬貨の枚数Ｄ５００ｍａｘはデータベース３２に記憶される。
【００５１】
ステップ２０１で、換算された５００円硬貨の枚数Σｄ５００／ｉがＤ５００ｍａｘに満たなければ、この段階ではこのコイン徴収装置１は満杯ではあるが、満杯をリセットすれば継続して使用させることもできるので、コインボックス２６が満杯であることを画像形成装置２に報知し（ステップ２０１）、コインボックス２６が満杯であることを画像形成装置２に表示し（ステップ２０２）、コピーモードを「ｏｆｆ」とし（ステップ２０３）、ステップ１１０に戻って返却ボタン２３の押下を待つ。
【００５２】
コピーモードを「ｏｆｆ」としたので返却ボタン２３を一定時間以上押して満杯をリセットするまで、コピーを受け付けない。また、コインを投入しても、コイン投入処理のステップ２００により再び満杯が報知されるのでコインの投入を行うこともできない。
【００５３】
ステップ１１６でリセットモードが「ｏｎ」であるか、またはステップ１１６でリセットモードが「ｏｆｆ」で、かつステップ１１７でコイン投入後コインボックス２６内のいずれのコイン種ｉのコイン枚数Ｄｉもコインボックス２６が満杯となったときに期待されるコイン種ｉのコイン枚数の期待値Ｄｉｅｘｐに達していなければ、投入されたコインを釣り銭パイプ３５ｉに入れ（ステップ１２１）、コインの投入金額をコイン残高に加算して（ステップ１２２）表示部３０にコイン残高を表示し、コピーモードを「ｏｎ」として（ステップ１２３）ステップ１１０に戻って次の入力を待つ。
【００５４】
ステップ１１０で、コピーが入力され、かつコピーモードが「ｏｎ」であるとき、コピーを行い（ステップ１３０）、コピーの内容に応じてコイン残高を減額し（ステップ１３１）コイン残高が「０」になれば（ステップ１３２）、コインボックス２６がコインで満杯になったことを検知する処理を行う。
【００５５】
コピー残高が「０」の場合（ステップ１３２）、コインボックス２６内のいずれかのコイン種ｉのコイン枚数Ｄｉがコインボックス２６が満杯となったときに期待されるコイン種ｉのコイン枚数の期待値Ｄｉｅｘｐ以上であれば（ステップ１３３）、ステップ２００〜ステップ２０７と同じ処理を実行して満杯または使用中止の処理と報告および表示を行う。
【００５６】
ステップ１３３で、いずれのコイン種ｉでもコインボックス２６内のコイン枚数Ｄｉがコインボックス２６が満杯となったときに期待されるコイン枚数の期待値Ｄｉｅｘｐに達していなければ、コイン残高が「０」なので、コピーモードを「ｏｆｆ」とし（ステップ１３４）、ステップ１１０に戻ってコインの投入または返却ボタン２３の押下を待つ。ステップ１３２でコピー残高が「０」でなければ、ステップ１１０に戻って次の入力を待つ。
【００５７】
ステップ１１０で返却ボタン２３が押下されると、一定時間以上押されているかにより（ステップ１４０）、コインの返却またはコイン徴収装置１の満杯状態の解除処理を行う。なお、満杯状態の解除は、返却ボタン２３を一定時間以上押すことでなく、満杯状態を解除するために別にリセットボタン等を設けてもよいし、ＰＯＳレジ４またはコンピュータ７から満杯解除のコマンドを入力させてもよい。
【００５８】
ステップ１４０で返却ボタン２３が一定時間以上押されていなければ、コインを釣り銭払い出し機構２４より返却し（ステップ１４１）、返却されたコインの枚数Ｂｉをコイン種ｉ毎に加算し（ステップ１４２）、コイン残高を「０」にし（ステップ１４３）、コピーモードを「ｏｆｆ」し（ステップ１４４）、ステップ１１０に戻って次の入力を待つ。
【００５９】
ステップ１４０で返却ボタン２３が一定時間以上押されていれば、コイン徴収装置１の満杯を解除し、該コイン徴収装置１を引き続き使用させるため、コインボックス２６の満杯の解除を画像形成装置２に報知し（ステップ３００）、コインボックス２６の満杯の解除を画像形成装置２に表示し（ステップ３０１）、リセットモードを「ｏｎ」とし（ステップ３０２）、ステップ１１０に戻って次の入力を待つ。
【００６０】
ステップ２０１、ステップ２０２、ステップ２０５、ステップ２０６、ステップ３００、およびステップ３０１の報知先および表示先を店舗内ＰＯＳレジ４または、集中管理センタのコンピュータ７としてもよい。リセットモードを「ｏｎ」としたので、満杯状態でもコインの投入を行うことができるし、コイン残高が「０」になるまでコピーを続けることもできる。
【００６１】
以上詳細に説明したように、第１の実施の形態のコイン徴収装置１は、コピー中でコイン残高が「０」でなければ、急に満杯または使用中止状態となってコピーできなくなることはない。コイン残高が「０」になるまでコピーを続けられ、コイン残高が「０」にならないと満杯または、使用中止状態にならない。
【００６２】
満杯を検知するために第１の所定値としてコインボックス２６が満杯となったときに期待されるコイン種ｉ毎のコイン枚数の期待値Ｄｉｅｘｐ、第２の所定値としてコインボックス２６を５００円硬貨で満杯にする５００円硬貨の枚数をＤ５００ｍａｘと２つの値を設け、２重に満杯の検知を行うため正確な満杯の検知が行える。また、第１の所定値に達し第２の所定値まで到達しない場合は、満杯状態を解除してコインを再投入し、再びコイン残高が「０」になるまでコピーを行うことができる。満杯状態の解除を繰り返せば第２の所定値Ｄ５００ｍａｘになるまでコピーを行うことができる。
【００６３】
満杯を検知するために第１の所定値としてコインボックス２６が満杯となったときに期待されるコイン種ｉ毎のコイン枚数の期待値Ｄｉｅｘｐを用いたのでコイン徴収装置１の取り付けられる画像形成装置２等の装置の業務内容および前記装置の設置される場所等によって徴収されるコイン種に特徴がある場合、コイン徴収装置を取り付けた装置の業務実績に基づいてきめ細かく満杯を検知できる。
【００６４】
なお、ステップ１１７およびステップ１３３では満杯を検知するために第１の所定値としてコインボックス２６が満杯となったときに期待されるコイン種ｉ毎のコイン枚数の期待値Ｄｉｅｘｐを用いたが、コイン枚数の期待値Ｄｉｅｘｐでなくともコインボックス２６を満杯とするコイン種ｉ毎の他のコイン枚数Ｄｉｎｕｍを用いてもよい。
【００６５】
満杯を検知するために第２の所定値として５００円硬貨でコインボックス２６を満杯にする５００円硬貨の枚数Ｄ５００ｍａｘを用い、コインボックス２６内のコインを全て５００円硬貨にコインの体積を用いて換算して比較したので、コインがコインボックス２６内に収容されるときの、コイン収容部の体積とコインの体積とコインの間に生じる隙間を計算した理論的な満杯検知を行うことができる。
【００６６】
このように第１の実施の形態では、いずれも特別な機器を用いることなく計算プログラムだけで正確な満杯検知を行うことができる。
【００６７】
コイン徴収装置１が満杯になると、コイン徴収装置１は、直ちに画像形成装置２、ＰＯＳレジ４または集中管理センタのコンピュータ７に満杯を報知し、満杯が表示されるので、画像形成装置２を使用中の顧客、店舗の店員、または集中管理センタのシステム管理者がコインボックス２６の満杯を知り、コインボックス２６を取り出してコインを回収したり、満杯をリセットして使用中止になるまで使わせたりする対応することができるので、画像形成装置２が長い間使えないまま放置されることはない。
【００６８】
図５は、本発明の第２の実施の形態に係るコイン徴収装置１のコイン徴収処理のフローチャートである。
初めに初期設定を行う（ステップ４００）。コインボックス２６を満杯とする重量Ｗ１ｍａｘ、Ｗ２ｍａｘを設定し（ステップ４０１）、コピーモードを「ｏｎ」とし（ステップ４０２）、コイン残高を「０」にし（ステップ４０３）、初期設定が完了する。
【００６９】
コインボックス２６を満杯とする重量Ｗ１ｍａｘ、Ｗ２ｍａｘは、コインをコインボックス２６に入れて満杯状態にして重量センサ２７で実測した値等を用いる。重量値は、重量Ｗ１ｍａｘ＜重量Ｗ２ｍａｘを条件として２つの値を用いる。コインボックス２６を満杯とする重量Ｗ１ｍａｘ、Ｗ２ｍａｘは、予めデータベース３２に記憶される。
【００７０】
ステップ４１０で入力を待つ。所定の時間に設定したタイマがタイムアウトすると、ステップ４１０にタイムアウトが入力され、重量センサ２７から定期的にコインボックス２６の重量Ｗの値が送られてくる。このときコイン残高が「０」でなければ（ステップ４１１）、ステップ４１０に戻ってコインの徴収処理を続ける。
コイン残高が「０」の場合（ステップ４１１）、満杯の検知を行う。
【００７１】
コインボックス２６の重量Ｗがコインボックス２６を満杯とする重量Ｗ１ｍａｘより重く（ステップ４１２）、コインボックス２６の重量Ｗがコインボックス２６を使用中止とする重量Ｗ２ｍａｘより重ければ（ステップ４２０）、これ以上このコイン徴収装置１を使用することはできないので、コイン徴収装置１の使用中止を画像形成装置２に報知し（ステップ４２５）、コイン徴収装置１の使用中止を画像形成装置２に表示し（ステップ４２６）、コイン徴収装置１を停止させて（ステップ４２７）終了する。
【００７２】
ステップ４２０で、コインボックス２６の重量Ｗがコインボックス２６を使用中止とする重量Ｗ２ｍａｘに満たなければ、このコイン徴収装置１は満杯ではあるが、満杯をリセットすれば継続して使用させることもできるので、コインボックス２６が満杯であることを画像形成装置２に報知し（ステップ４２１）、コインボックス２６が満杯であることを画像形成装置２に表示し（ステップ４２２）、コピーモードを「ｏｆｆ」とし（ステップ４２３）、ステップ４１０に戻って次の入力返却ボタン２３の押下を待つ。コピーモードを「ｏｆｆ」としたので返却ボタン２３を一定時間以上押して満杯をリセットするまで、コピーを受け付けない。
【００７３】
ステップ４１２で、コインボックス２６の重量Ｗがコインボックス２６を満杯とする重量Ｗ１ｍａｘに達していなければ、ステップ４１０に戻りコインの徴収処理を続ける。
【００７４】
ステップ４１０で返却ボタン２３が押下されると、一定時間以上押されているかにより（ステップ４４０）、コインの返却またはコイン徴収装置１の満杯解除処理を行う。ステップ１４０で返却ボタン２３が一定時間以上押されていなければ、コインを釣り銭払い出し機構２４より返却し（ステップ４４１）、コイン残高を「０」にし（ステップ４４２）、コピーモードを「ｏｆｆ」し（ステップ４４３）、ステップ４１０に戻って次の入力を待つ。
【００７５】
ステップ４４０で返却ボタン２３が一定時間以上押されていれば、コイン徴収装置１の満杯を一時的に解除し、コイン徴収装置１を引き続き使用させるため、コインボックス２６の満杯の解除を画像形成装置２に報知し（ステップ４５０）、コインボックス２６の満杯の解除を画像形成装置２に表示し（ステップ４５１）、コピーモードを「ｏｎ」とし（ステップ４５２）、ステップ４１０に戻ってコインの徴収処理を続ける。コピーモードを「ｏｎ」としたので、満杯状態でもコイン残高が「０」になるまでコインの徴収処理を続けることができる。
【００７６】
ステップ４２１、ステップ４２２、ステップ４２５、ステップ４２５、ステップ４５０、およびステップ４５２の報知先および表示先を店舗内ＰＯＳレジ４または、集中管理センタのコンピュータ７としてもよい。
【００７７】
以上詳細に説明したように、第２の実施の形態のコイン徴収装置１は、コピー中でコイン残高が「０」でなければ、急に満杯または使用中止状態となってコピーできなくなることはない。コイン残高が「０」になるまでコピーを続けられ、コイン残高が「０」にならないと満杯または、使用中止状態にならない。
【００７８】
満杯を検知するために第１の所定値としてコインボックス２６が満杯のときの重量Ｗ１ｍａｘ、第２の所定値としてコインボックス２６が満杯のときの重量Ｗ２ｍａｘと２つの値を設け、２重に満杯の検知を行うため、第１の所定値に達し第２の所定値まで到達しない場合は、満杯状態を解除して再びコイン残高が「０」になるまでコイン徴収処理を行うことができる。満杯解除を繰り返せば第２の所定値重量Ｗ２ｍａｘになるまでコイン徴収処理を行うことができる。
【００７９】
コイン徴収装置１が満杯になると、コイン徴収装置１は、直ちに画像形成装置２、ＰＯＳレジ４または集中管理センタのコンピュータ７に満杯を報知し、満杯が表示されるので、画像形成装置２を使用中の顧客、店舗の店員、または集中管理センタのシステム管理者がコインボックス２６の満杯を知り、コインボックス２６を取り出してコインを回収したり、満杯をリセットして使用中止になるまで使わせたりする対応をとることができるので、画像形成装置２が長い間使えないまま放置されることはない。このように第２の実施の形態では、コインの枚数、およびコピー枚数等のカウントおよびその計算プログラムがなくとも、簡単に満杯を検知することができる。
【００８０】
図６は、本発明の第３の実施の形態に係るコイン徴収装置１のコイン徴収処理のフローチャートである。初めに初期設定を行う（ステップ６００）。コピー種ｊ毎のコピー枚数Ｐｊを「０」に設定し（ステップ６０１）、コイン残高を「０」にし（ステップ６０２）、コインボックス２６が満杯となったときに期待されるコピー種ｊ毎のコピー枚数の期待値Ｐｊｅｘｐを設定し（ステップ６０３）、コピーモードを「ｏｆｆ」とし、初期設定が完了する。
【００８１】
コピー種ｊとは白黒、単色カラー、フルカラーとＡ４、Ａ５、Ｂ４、Ｂ５等のコピー内容とコピーサイズとの組み合わせで決まるコピーの種類である。コピー種ｊ毎に異なるコピー単価Ｍｊが設定される。コインボックス２６が満杯となったときに期待されるコピー枚数の期待値Ｐｊｅｘｐは、コインボックス２６の体積、形状等により異なるが、同型のコインボックス２６を用いたコイン徴収装置１においてコピーされるコピー種ｊを分析するなどして経験的に得られ値であり、データベース３２に記憶される。
【００８２】
コイン徴収装置１は、顧客の入力を待つ（ステップ６１０）。コインが投入されるとコインの選別センサ２１で選別されたコイン種ｉ毎のコインをコイン枚数カウンタ２２でカウントし、投入金額をコイン残高に加算して（ステップ６１１）、表示部３０の表示し、コピーモードを「ｏｎ」として、ステップ６１０に戻り入力を待つ。
【００８３】
ステップ６１０で、コピーが入力され、かつコピーモードが「ｏｎ」であるとき、コピーを行い（ステップ６３０）、コピー種ｊ毎のコピー枚数Ｐｊを「１」加算し（ステップ６３１）、コイン残高からコピー単価Ｍｊを減額し（ステップ６３２）、コイン残高をチェックする。コイン残高が「０」になれば（ステップ６３３）、コインボックス２６がコインで満杯になったことを検知する処理を行う。
【００８４】
コピー残高が「０」の場合（ステップ６３３）、いずれかのコピー種ｊのコピー枚数Ｐｊがコインボックス２６が満杯となったときに期待されるコピー枚数の期待値Ｐｊｅｘｐ以上であれば（ステップ６３４）、コインボックス２６の使用が可能かを調べるために、全てのコピー種ｊのコピー枚数Ｐｊを加算した総コピー枚数ΣＰｊとコインボックス２６が満杯となったときに期待される総コピー枚数の期待値ΣＰｊｅｘｐと比較する（ステップ６４０）。
【００８５】
総コピー枚数ΣＰｊが総コピー枚数の期待値ΣＰｊｅｘｐ以上になれば（ステップ６４０）、これ以上このコイン徴収装置１を使用することはできないので、コイン徴収装置１の使用中止を画像形成装置２に報知し（ステップ６４５）、コイン徴収装置１の使用中止を画像形成装置２に表示し（ステップ６４６）、コイン徴収装置１を停止させて（ステップ６４７）終了する。コインボックス２６が満杯となったときに期待される総コピー枚数の期待値ΣＰｊｅｘｐはデータベース３２に記憶される。
【００８６】
ステップ６４０で、総コピー枚数ΣＰｊが総コピー枚数の期待値ΣＰｊｅｘｐに満たなければ、このコイン徴収装置１は満杯ではあるが、満杯をリセットすれば継続して使用させることもできるので、コインボックス２６が満杯であることを画像形成装置２に報知し（ステップ６４１）、コインボックス２６が満杯であることを画像形成装置２に表示し（ステップ６４２）、コピーモードを「ｏｆｆ」とし（ステップ６４３）、ステップ６１０に戻って次の入力返却ボタン２３の押下を待つ。コピーモードを「ｏｆｆ」としたので返却ボタン２３を一定時間以上押して満杯をリセットするまで、コピーを受け付けない。
【００８７】
ステップ６３４でいずれかのコピー種ｊにおいてもコピー枚数Ｐｊがコインボックス２６が満杯となったときに期待されるコピー枚数の期待値Ｐｊｅｘｐに達していなければ、コイン残高が「０」なので、コピーモードを「ｏｆｆ」とし（ステップ６３５）、ステップ６１０に戻ってコインの投入または返却ボタン２３の押下を待つ。
【００８８】
ステップ６１０で返却ボタン２３が押下されると、一定時間以上押されているかにより（ステップ６５０）、コインの返却またはコイン徴収装置１の満杯解除処理を行う。ステップ６５０で返却ボタン２３が一定時間以上押されていなければ、コインを釣り銭払い出し機構２４より返却し（ステップ６５１）、コイン残高を「０」にし（ステップ６５２）、コピーモードを「ｏｆｆ」して（ステップ６５３）ステップ６１０に戻って次の入力を待つ。
【００８９】
ステップ６５０で返却ボタン２３が一定時間以上押されていれば、コイン徴収装置１の満杯を一時的に解除し、コイン徴収装置１を引き続き使用させるため、コインボックス２６の満杯の解除を画像形成装置２に報知し（ステップ６６０）、コインボックス２６の満杯の解除を画像形成装置２に表示し（ステップ６６１）、コピーモードを「ｏｎ」とし（ステップ６６２）、ステップ６１０に戻ってコピーを続ける。コピーモードを「ｏｎ」としたので、満杯状態でもコイン残高が「０」になるまでコピーを続けることができる。
【００９０】
ステップ６４１、ステップ６４２、ステップ６４５、ステップ６４６、ステップ６６０、およびステップ６６１の報知先および表示先を店舗内ＰＯＳレジ４または、集中管理センタのコンピュータ７としてもよい。
【００９１】
以上詳細に説明したように、第３の実施の形態のコイン徴収装置１は、コピー中でコイン残高が「０」でなければ、急に満杯または使用中止状態となってコピーできなくなることはない。コイン残高が「０」になるまでコピーを続けられ、コイン残高が「０」にならないと満杯または、使用中止状態にならない。
【００９２】
満杯を検知するために第１の所定値としてコインボックス２６が満杯となったときに期待されるコピー種ｊ毎のコピー枚数の期待値Ｐｊｅｘｐ、第２の所定値としてコインボックス２６が満杯となったときに期待される総コピー枚数の期待値ΣＰｊｅｘｐと２つの値を設け、２重に満杯の検知を行うため、第１の所定値に達し第２の所定値まで到達しない場合は、満杯状態を解除して再びコイン残高が「０」になるまでコイン徴収処理を行うことができる。満杯状態の解除を繰り返せば第２の所定値コインボックス２６が満杯となったときに期待される総コピー枚数の期待値ΣＰｊｅｘｐになるまでコピーを行うことができる。
【００９３】
満杯を検知するために第１の所定値としてコインボックス２６が満杯となったときに期待されるコピー種ｊ毎のコピー枚数の期待値Ｐｊｅｘｐを用いたので画像形成装置２の管理者が把握しやすい値を用いて満杯を検知するので、画像形成装置の管理者が満杯の管理がしやすいし、コイン徴収装置を取り付けた画像形成装置２の業務内容および、画像形成装置の設置される場所等によってコピー種に特徴がある場合、コイン徴収装置を取り付けた装置の業務実績に基づいてきめ細かく満杯を検知できる。
【００９４】
満杯を検知するために第２の所定値とコインボックス２６が満杯となったときに期待される総コピー枚数の期待値ΣＰｊｅｘｐとしたので、画像形成装置２の保守員にとって、コピー種ｊに関する業務実績に基づいて簡単に把握できる数値を用いて満杯を検知することができる。
【００９５】
なお、ステップ６３４の満杯検知をいずれかのコピー種ｊのコピー枚数Ｐｊがコインボックス２６を満杯とする同じコピー種ｊのコピー枚数Ｐｉｎｕｍ以上であるかによって検知し、ステップ６４０の使用中止の検知を全てのコピー種ｊのコピー枚数Ｐｊを加算した総コピー枚数ΣＰｊがコインボックス２６を満杯とする総コピー枚数ΣＰｉｎｕｍ以上であるかによって検知してもよい。コインボックス２６を満杯とするコピー種ｊのコピー枚数Ｐｊｎｕｍおよびコインボックス２６を満杯とする総コピー枚数ΣＰｉｎｕｍは、ＰｊｅｘｐおよびΣＰｊｅｘｐとは他に設定される値である。
【００９６】
また、ステップ６３４の満杯検知をコピー種ｊのコピー枚数Ｐｊに同じコピー種ｊのコピー単価Ｍｊを乗算したコピー種ｊ毎のコピー料金Ｎｊを求め、いずれかのコピー種ｊのコピー料金Ｎｊがコインボックス２６が満杯となったときに期待されるコピー種ｊのコピー料金の期待値Ｎｊｅｘｐ以上であるかによって検知し、ステップ６４０の使用中止の検知を全てのコピー種ｊのコピー料金Ｎｊを加算した総コピー料金ΣＮｊとコインボックス２６が満杯となったときに期待される総コピー料金の期待値ΣＮｊｅｘｐと比較してもよい。
【００９７】
満杯の検知は、コイン徴収装置を取り付けた画像形成装置の管理者が把握しやすいコピー種ｊ毎のコピー料金の期待値Ｎｊｅｘｐを用いて満杯を検知するので、画像形成装置の管理者が満杯の管理がしやすいし、コイン徴収装置を取り付けた画像形成装置２の業務内容および、画像形成装置の設置される場所等によってコピー種に特徴がある場合、コイン徴収装置を取り付けた装置のコピー種ｊに関する業務実績に基づいて満杯を検知できる。使用不可の検知は、総コピー料金の期待値ΣＮｊｅｘｐと画像形成装置の管理者が把握しやすい値を用いて使用不能を検知するので、画像形成装置の管理者が満杯の管理をしやすく、コピー枚数Ｐｊｅｘｐおよび総コピー枚数ΣＰｊｅｘｐを用いるより正確に満杯検知を行える。
【００９８】
また、ステップ６３４の満杯検知をコピー種ｊのコピー枚数Ｐｊに同じコピー種ｊのコピー単価Ｍｊを乗算したコピー種ｊのコピー料金Ｎｊを求め、いずれかのコピー種ｊのコピー料金Ｎｊがコインボックス２６を満杯とするコピー種ｊのコピー料金Ｎｊｎｕｍ以上であるかによって検知し、ステップ６４０の使用中止の検知を全てのコピー種ｊのコピー料金Ｎｊを加算した総コピー料金ΣＮｊとコインボックス２６を満杯とする総コピー料金ΣＮｊｎｕｍと比較してもよい。
コインボックス２６を満杯とするコピー種ｊのコピー料金Ｎｊｎｕｍおよびコインボックス２６を満杯とする総コピー料金ΣＮｉｎｕｍは、ＮｊｅｘｐおよびΣＮｊｅｘｐとは他に設定される値である。
【００９９】
コイン徴収装置１が満杯になると、コイン徴収装置１は、直ちに画像形成装置２、ＰＯＳレジ４または集中管理センタのコンピュータ７に満杯を報知し、満杯が表示されるので、画像形成装置２を使用中の顧客、店舗の店員、または集中管理センタのシステム管理者がコインボックス２６の満杯を知り、コインボックス２６を取り出してコインを回収したり、満杯をリセットして使用中止になるまで使わせたりする対応をとることができるので、画像形成装置２が長い間使えないまま放置されることはない。
このように第３の実施の形態では、いずれも特別な機器を用いることなく計算だけで正確な満杯検知を行うことができる。
【０１００】
図７は、本発明の第４の実施の形態に係るコイン徴収装置１のコイン徴収処理のフローチャートである。このコイン徴収装置１は、ドアにドアロック検知センサ２９、コインボックス２６に満杯センサ２８が取り付けられる。
ドアロック検知センサ２９が「ｏｎ」のときコイン徴収装置１のドアは閉められている状態を示し、ドアロック検知センサ２９が「ｏｆｆ」のときコイン徴収装置１のドアは開けられている状態を示す。
【０１０１】
満杯センサ２８は発光ダイオード２６ａ、受光ダイオード２６ｂの２組のダイオードでコインボックス２６の入り口付近にコインが溢れていないかを検知する。コインボックス２６のコインが溢れていない場合は、受光ダイオード２６ｂが発光ダイオード２６ａの発する光を受光して「ｏｆｆ」を示し、コインが溢れて受光ダイオード２６ｂが発光ダイオード２６ａの発する光を検知できなくなると「ｏｎ」を示す。
【０１０２】
第４の実施の形態では満杯センサ２８によってコインボックス２６入り口付近のコインの溢れを検知する。初めにタイマＴに所定地Ｚを設定する（ステップ７０１）。ドアロック検知センサ２９が「ｏｎ」で（ステップ７０２）、満杯センサ２８が「ｏｎ」ならば（ステップ７０３）、タイマを減算する（ステップ７０４）。タイマＴが「０」にならなければステップ７０２に戻って、ドアロック検知センサ２９と満杯センサ２８のチェックとタイマＴの減算を繰り返す。ステップ７０４でタイマＴが「０」になれば、所定の時間ドアが閉まっていてかつコインボックス２６の満杯が検知されたのでコインボックス２６が満杯であることを報知する（ステップ７０６）。
【０１０３】
ドアロック検知センサ２９が「ｏｆｆ」であれば（ステップ７０２）、ステップ７０１に戻ってタイマＴの再設定を行い、ドアロック検知センサ２９が「ｏｎ」になるまで、満杯検知を行わない。ドアロック検知センサ２９が「ｏｎ」で（ステップ７０１）、満杯センサ２８が「ｏｆｆ」の場合（ステップ７０２）もステップ７０１に戻ってタイマＴの再設定を行う。ドアロック検知センサ２９の「ｏｎ」と満杯センサ２８の「ｏｎ」が同時に一定時間続かないと（ステップ７０２）満杯を報知しない。
【０１０４】
以上詳細に説明したように、第４の実施の形態のコイン徴収装置１は、ドアロック検知センサ２９の「ｏｎ」、「ｏｆｆ」をチェックしているので、コインボックス２６の出し入れ作業中に誤って満杯を報知することがない。満杯センサ２８の「ｏｎ」を一定時間監視しているので、コインボックス２６の装着直後、コインボックス２６の装着位置の僅かなずれによって誤って満杯を報知することがない。この場合装着位置のずれは修正されることが多い。満杯センサ２８の「ｏｎ」を一定時間監視しているので、コインボックス２６内にコインが落下した直後、一時的にコインが盛り上がってしまう状態で誤って満杯を報知することがない。
【０１０５】
以上４つの実施の形態について説明したが、満杯検知より使用不可検知のほうがより満杯状態に近ければ、満杯の検知処理および使用不可の検知処理の組み合わせは実施の形態に限定されない。
【０１０６】
【発明の効果】
以上詳細に説明したように、本発明の第１の発明によれば、コイン種毎に満杯とする枚数を決めているので、コインサイズを考慮して正確に満杯を検知できる。特に、５００円硬貨と１０円硬貨といったような大きさに差のある硬貨を主に徴収するような業務を行う装置に取り付けられるコイン徴収装置のように、取り付けられる装置の業務内容によって徴収されるコイン種に偏りがある場合、コインの総枚数のカウントによる満杯検知と比較すると誤差を非常に少なくできる。
【０１０７】
第２の発明によれば、コイン収容部の体積とコインの体積とコインの間に生じる隙間を計算した理論的な満杯検知を行うことができる。
【０１０８】
第３の発明によれば、コイン収容部の重量を測定するので、コインの枚数、およびコピー枚数等の複雑なカウント機構およびその計算機構を設けることなく、簡単に満杯を検知することができる。
【０１０９】
第４の発明によれば、総複写枚数と画像形成装置の管理者が把握しやすい値を用いて満杯を検知するので、画像形成装置の管理者が管理しやすい。
【０１１０】
第５の発明によれば、コイン徴収装置を取り付けた画像形成装置の管理者が把握しやすい複写種毎の複写枚数の期待値を用いて満杯を検知するので、画像形成装置の管理者が満杯の管理をしやすいし、かつ、コイン徴収装置を取り付けた画像形成装置の業務内容および、画像形成装置の設置される場所等によって徴収されるコピー種に特徴がある場合、コイン徴収装置を取り付けた装置のコピー種に関する業務実績に基づいて満杯を検知できる。
【０１１１】
第６の発明によれば、総複写料金とコイン徴収装置と画像形成装置の管理者が把握しやすい値を用いて満杯を検知するので、画像形成装置の管理者が管理しやすし、総複写枚数を用いるより正確に満杯検知を行える。また、満杯を検知するために、いちいち投入金額、返却変金額等を数える必要がないし、コピーの売上金額の積算をしなくてもよい。
【０１１２】
第７の発明によれば、コイン徴収装置を取り付けた画像形成装置の管理者が把握しやすい複写種毎の複写料金の期待値を用いて満杯を検知するので、画像形成装置の管理者が管理しやすいし、かつコイン徴収装置を取り付けた画像形成装置の業務内容および、画像形成装置の設置される場所等によってコピー種に特徴がある場合、コイン徴収装置を取り付けた装置のコピー種に関する業務実績に基づいて満杯を検知できる。また、複写枚数を用いるより正確である。
【０１１３】
第８の発明によれば、ドアロックセンサと満杯センサによって満杯を検知しているので、コインの枚数、およびコピー枚数等のカウントおよびその計算プログラム等を設けることなく、簡単に満杯を検知することができるし、コイン収容部の回収作業時またはその直後、誤って満杯を検知することがない。これらにより事前に正確な判定を行うことができる。
【０１１４】
第９の発明によれば、２つの所定値と２つの検知手段と再開手段とを設けたので、顧客ならびにシステム管理者に満杯を認知させながら第２の所定値までコイン徴収装置を使用させることができる。
【０１１５】
第１０の発明によれば、コイン残高が０になるのを待って満杯を検知しているので、コイン徴収装置を取り付けた画像形成装置等の機器が突然使用不能になることがない。
【０１１６】
第１１の発明によれば、コインを投入中であっても、コインが満杯になれば、それが報知されるので、コイン徴収装置のシステム管理者に直ぐ知らせることができる。
【０１１７】
第１２の発明によれば、コイン徴収装置が満杯状態であることをコイン徴収装置のシステム管理者に直ぐ知らせることができるので、コイン徴収装置が満杯のまま長時間放って置かれて使えないということがない。
【図面の簡単な説明】
【図１】本発明のコイン徴収装置１を店舗内に設置された画像形成装置２に取り付けたコイン徴収システム１０の構成図
【図２】コイン徴収装置１の機能ブロック図
【図３】コイン徴収の原理を説明するためのコイン徴収装置１の横断面図
【図４】本発明の第１の実施の形態に係るコイン徴収装置１のコイン徴収処理のフローチャート
【図５】本発明の第２の実施の形態に係るコイン徴収装置１のコイン徴収処理のフローチャート
【図６】本発明の第３の実施の形態に係るコイン徴収装置１のコイン徴収処理のフローチャート
【図７】本発明の第４の実施の形態に係るコイン徴収装置１のコイン徴収処理のフローチャート
【符号の説明】
１………コイン徴収装置
２………画像形成装置
３………店舗内ＬＡＮ
４………ＰＯＳレジ
５………公衆回線網
６………専用回線網
７………コンピュータ
１０………コイン徴収システム
２１………選別センサ
２２………コイン枚数カウンタ
２３………返却ボタン
２４………釣り銭払い出し機構
２６………コインボックス
２７………重量センサ
２８………満杯センサ
２９………満杯センサ
３０………表示部
３１………記憶部
３２………データベース
３３………制御部
３４………コイン投入口
３５………釣り銭パイプ
３６………釣り銭払い出し口
Ａｉ………コイン種ｉ毎のコインの投入枚数
Ｂｉ………コイン種ｉ毎のコインの返却枚数
Ｃｉｍａｘ………釣り銭パイプ３５ｉの最大収容枚数
Ｄｉ………コインボックス２６内のコイン種ｉのコイン枚数
ｄ５００／ｉ………コインボックス２６内のコイン種ｉのコイン枚数Ｄｉを５００円硬貨の枚数に換算した枚数
Σｄ５００／ｉ………コインボックス２６内の総コイン枚数ΣＤｉを５００円硬貨に換算した枚数
Ｄｉｎｕｍ………コインボックス２６を満杯とするコイン種ｉのコイン枚数
Ｄｉｅｘｐ………コインボックス２６が満杯となったときに期待されるコイン種ｉのコイン枚数の期待値
ΣＤｉ………コインボックス２６内の総コイン枚数
ΣＤｉｅｘｐ………コインボックス２６が満杯となったときに期待される総コイン枚数の期待値
Ｄ５００ｍａｘ………コインボックス２６を５００円硬貨だけで満杯にする５００円硬貨の枚数
ｉ………コイン種
ｊ………コピー種
Ｐｊ………コピー種ｊ毎のコピー枚数
Ｐｉｎｕｍ………コインボックス２６を満杯とするコピー種ｊのコピー枚数
Ｐｊｅｘｐ………コインボックス２６が満杯となったときに期待されるコピー種ｊのコピー枚数の期待値
ΣＰｊ………全てのコピー種ｊのコピー枚数Ｐｊを加算した総コピー枚数
ΣＰｊｅｘｐ………コインボックス２６が満杯となったときに期待される総コピー枚数の期待値
Ｍｊ………コピー単価
Ｎｊ………コピー種ｊ毎のコピー料金
Ｎｉｎｕｍ………コインボックス２６を満杯とするコピー種ｊのコピー料金
Ｎｉｅｘｐ………コインボックス２６が満杯となったときに期待されるコピー種ｊのコピー料金の期待値
ΣＮｉ………総コピー料金
ΣＮｉｅｘｐ………コインボックス２６が満杯となったときに期待される総コピー料金の期待値
ΣＮｉｎｕｍ………コインボックス２６を満杯とする総コピー料金
Ｖ１０………１０円硬貨の体積
Ｖ５０………５０円硬貨の体積
Ｖ１００………１００円硬貨の体積
Ｖ１０／５００………５００円硬貨の体積を基準とした１０円硬貨の体積の割合Ｖ５０／５００………５００円硬貨の体積を基準とした５０円硬貨の体積の割合Ｖ１００／５００………５００円硬貨の体積を基準とした１００円硬貨の体積の割合
【図１】
2004110426.tif 000003
【図２】
2004110426.tif 000004
【図３】
2004110426.tif 000005
【図４】
2004110426.tif 000006
【図５】
2004110426.tif 000007
【図６】
2004110426.tif 000008
【図７】
2004110426.tif 000009